(57)【要約】【課題】電子機器に搭載されて各種制御を担い、操作位置明示の指標としてＬＥＤが内蔵された照光式回転型可変抵抗器に関し、３６０°回転操作が可能で、３６０°回転全域でＬＥＤが発光するものを提供することを目的とする。【解決手段】ＬＥＤ用摺動子２５のアノード用導電皮膜３３およびカソード用導電皮膜３４に接触する摺動接点２６Ｃ，２７Ｃのそれぞれは、絶縁基板２２の各皮膜３１，３２，３３端部からの導出部３１Ａ，３２Ａ，３２Ｂ，３３Ａを覆って設けられた絶縁層３６の円周方向の幅より広い間隔の少なくとも２ヶ所の位置でそれぞれ接触する構成とした。【選択図】図４
2009277973.tif 000002
【特許請求の範囲】
【請求項１】
上面に抵抗器用皮膜およびＬＥＤ用導電皮膜を同心円状に設けた円環状の絶縁基板と、内周壁と外周壁で囲まれた円環状の上面開口部の内底面に上記絶縁基板を備え、上記抵抗器用皮膜および上記ＬＥＤ用導電皮膜に接続した各端子を外方に延出し、上記内周壁が上方へ突出して筒形状となった上面視円環状の絶縁樹脂製のケースと、円筒状の操作部が上記ケースの内周壁に回転可能に嵌合し、上記操作部の下端に設けられたフランジ部の下面に抵抗器用摺動子とＬＥＤ用摺動子とを有した回転体と、上記ケースの内周壁と上記回転体の操作部を中央孔から上方へ突出させて、上記回転体のフランジ部を収容状態に上記上面開口部を覆って上記ケースに取り付けられたカバーとを備えており、上記回転体は３６０°回転可能になされ、上記絶縁基板には上記各皮膜の導出部上を覆うように絶縁層が設けられ、上記ＬＥＤ用摺動子は上記絶縁層の円周方向の幅より広い間隔になされた少なくとも２ヶ所の摺動接点を備えることを特徴とする照光式回転型可変抵抗器。
【請求項２】
回転体のフランジ部上面の全周に凹凸部を設けると共に、その凹凸部に弾接する摺動突起を備えたクリックバネをカバー下面に固定して回転体の回転によりクリックを発生させるものとし、そのクリック間の角度が、絶縁基板に設けられた絶縁層の円周方向の幅より広い角度に設定され、かつ上記クリックの停止位置が、ＬＥＤ用摺動子の少なくとも２ヶ所の摺動接点が上記絶縁層を挟んでＬＥＤ用導電皮膜間を架橋状態にする接触位置であることを特徴とする請求項１記載の照光式回転型可変抵抗器。
【発明の詳細な説明】
【技術分野】
【０００１】
本発明は、車載用エアコンの温度、風向制御やＡＶ機器の音量、音質制御用等に使用される照光式回転型可変抵抗器に関するものである。
【背景技術】
【０００２】
近年、電子機器に搭載されて各種制御を担う回転型可変抵抗器として、外形が円環状で、その円環内の位置にスイッチ等の電子部品が実装されて機器の多機能化と操作部の集中化が図られている。また、操作位置を明示するための指標としてＬＥＤが内蔵された照光式回転型可変抵抗器も多く採用されている。
【０００３】
このような従来の照光式回転型可変抵抗器について、図８〜図１１を用いて説明する。
【０００４】
図８は従来の照光式回転型可変抵抗器の断面図、図９は同分解斜視図、図１０は同絶縁基板と各摺動子の関係を説明する平面図である。
【０００５】
同図において、１は円形の中央孔１Ａを備えた円環状のケースで、内周壁１Ｃと外周壁１Ｄで囲まれて形成された円環状部分は上面が開口した上面開口部１Ｂとなり、その上面開口部１Ｂの内底面には、円環状の絶縁基板２が備えられ、そして、上記中央孔１Ａを構成する内周壁１Ｃは上方へ突出して筒形状となっている。
【０００６】
３は円筒状の操作部３Ａとその下端にフランジ部３Ｂが設けられた回転体で、フランジ部３Ｂが上面開口部１Ｂ内に収容されて、操作部３Ａの内周面が上記ケース１の筒形状に突出した内周壁１Ｃの外周面に回転可能に嵌合している。上記フランジ部３Ｂの上面には、所定角度範囲の円周上に凹凸部３Ｃが設けられ、残りの角度範囲は係止用突部３Ｄとされている。そして、フランジ部３Ｂの下面には、抵抗器用摺動子４とＬＥＤ用摺動子５が固定されている。
【０００７】
また、この回転体３には、操作部３Ａの上面からフランジ部３Ｂ下面に至る貫通孔３Ｅが設けられており、その貫通孔３Ｅの下端に表面実装用のＬＥＤ８が貫通孔３Ｅ上方を照光するように固定されている。なお、図９の分解斜視図において、回転体３、抵抗器用摺動子４、ＬＥＤ用摺動子５およびＬＥＤ８は図８に示す位置から上面視で約１３５度右回転させた状態を示している。
【０００８】
９は上面開口部１Ｂを覆うように上方からケース１に取り付けられた円環状のカバーであり、中央の円形孔９Ａからケース１の内周壁１Ｃと回転体３の操作部３Ａは上方に突出している。そして、このカバー９の外周の一端が下方に折り曲げられて、上記回転体３の係止用突部３Ｄの円周方向側面に当接する係止用脚部９Ｂが設けられている。
【０００９】
１０は弾性金属板から細幅円弧状に形成され、その円弧の中央部に摺動突起１０Ａを備えたクリックバネであり、上記カバー９の下面に両端がカシメ固定されて、上記摺動突起１０Ａは、上記回転体３のフランジ部３Ｂ上面の凹凸部３Ｃに弾接している。
【００１０】
そして、図１０に示すように、絶縁基板２の上面には内周側に抵抗器用皮膜として、最内周の抵抗器用導電皮膜１１とその外側に抵抗皮膜１２が並設され、外周側にＬＥＤ用導電皮膜として、アノード用導電皮膜１３と最外周のカソード用導電皮膜１４が並設され、それらはスクリーン印刷などにより所定の間隔をあけてすべて同心円状に形成されている。また、それぞれの皮膜１１，１２，１３，１４の端部と繋がった各導出部１１Ａ，１２Ａ，１２Ｂ，１３Ａ，１４Ａが絶縁基板２の外周に延設された接続用突部２Ａ面に並んで銀ペーストにより導出形成され、端子１５とそれぞれ繋がっている。
【００１１】
ここで、ＬＥＤ用摺動子５は、図１１のＬＥＤ用摺動子の外観図に示すように、アノード用摺動子６とカソード用摺動子７からなり、アノード用摺動子６は、回転体３のフランジ部３Ｂにカシメ固定される平板状の固定部６Ａから、ＬＥＤ８のアノード側の電極に弾接する固定接点６Ｂとアノード用導電皮膜１３に弾接する摺動接点６Ｃとが延設されている。そして、アノード用導電皮膜１３に弾接する摺動接点６Ｃは離間した位置から向かい合うように２つ延設され、その先端はアノード用導電皮膜１３上で近接している。
【００１２】
また、カソード用摺動子７も同様に、フランジ部３Ｂにカシメ固定される平板状の固定部７Ａから、ＬＥＤ８のカソード側の電極に弾接する固定接点７Ｂとカソード用導電皮膜１４に弾接する摺動接点７Ｃとが延設されており、カソード用導電皮膜１４に弾接する２つの摺動接点７Ｃの先端はカソード用導電皮膜１４上で対向、近接している。
【００１３】
そして、アノード用摺動子６とカソード用摺動子７それぞれの摺動接点６Ｃと７Ｃは、対応するアノード用導電皮膜１３とカソード用導電皮膜１４に接触し、また、それぞれの固定接点６Ｂと７Ｂが、図１０に破線で示すＬＥＤ８の対応する電極に接触しており、対応する導出部１３Ａ，１４Ａに繋がった端子１５からの通電によりＬＥＤ８が発光する。また、抵抗器用摺動子４は抵抗皮膜１２上と抵抗器用導電皮膜１１上に接触している。
【００１４】
次に、このように構成された照光式回転型可変抵抗器の動作について説明する。
【００１５】
回転体３の操作部３Ａを回転させると、フランジ部３Ｂ上面の凹凸部３Ｃ上をクリックバネ１０の摺動突起１０Ａが弾接してクリックを生じ、またフランジ部３Ｂ下面にカシメ固定された抵抗器用摺動子４の接触部が抵抗皮膜１２および抵抗器用導電皮膜１１上を摺動し、抵抗器用摺動子４の接触する回転位置に応じた抵抗値が、それぞれの導出部１１Ａ，１２Ａまたは１２Ｂに繋がった対応する各端子１５間から得られる。
【００１６】
そして、回転体３は、フランジ部３Ｂ上面に設けられた係止用突部３Ｄがカバー９の係止用脚部９Ｂに当接することで回転操作範囲が規制され、その回転操作範囲の全域でＬＥＤ８への通電が行われることにより、発光したＬＥＤ８の光が操作部３Ａの貫通孔３Ｅを通じて外方を常時照光するものとされるものであった。
【００１７】
なお、この出願の発明に関連する先行技術文献情報としては、例えば、特許文献１が知られている。
【特許文献１】特開２００４−２８１８９１号公報
【発明の開示】
【発明が解決しようとする課題】
【００１８】
従来の照光式回転型可変抵抗器は、各種機器に搭載されて所定の回転操作位置に応じて作動される機能を割り当てて用いられるが、回転操作範囲の一方の端部に近い位置に割り当てられた機能から、回転操作範囲の他方の端部に近い位置に割り当てられた機能を作動させる場合、回転操作する角度が大きく操作性が悪いため、上述の操作が必要な際に操作角度が小さくてすむ方向に回転操作できるもの、つまり回転操作範囲を規制しないで３６０°回転可能な操作性に優れるものへの開発要望がある。
【００１９】
しかしながら上記従来の照光式回転型可変抵抗器に対し、回転体３を係止用突部３Ｄを設けないものに変更し、また、図１２の３６０°回転可能とした照光式回転型可変抵抗器の絶縁基板導出部上にＬＥＤ用摺動子が位置した状態の要部拡大図に示すように、絶縁基板２上の各皮膜１１，１２，１３の端部から延出され各端子１５に繋がる導出部１１Ａ，１２Ａ，１２Ｂ，１３Ａ上を、ＬＥＤ用摺動子５が通ることによって生じる短絡防止のため、斜線を付して明示した絶縁層１６を設けたものに変更することにより、上述した要望に対応する３６０°回転可能なものにできるが、その絶縁層１６上をＬＥＤ用摺動子５が摺動する際にＬＥＤ８が不灯状態になってしまうという課題があった。
【００２０】
本発明は、このような従来の課題を解決するものであり、３６０°回転操作が可能で、３６０°回転全域でＬＥＤが発光する照光式回転型可変抵抗器を提供することを目的とする。
【課題を解決するための手段】
【００２１】
上記目的を達成するために本発明は、以下の構成を有するものである。
【００２２】
本発明の請求項１に記載の発明は、上面に抵抗器用皮膜およびＬＥＤ用導電皮膜を同心円状に設けた円環状の絶縁基板と、内周壁と外周壁で囲まれた円環状の上面開口部の内底面に上記絶縁基板を備え、上記抵抗器用皮膜および上記ＬＥＤ用導電皮膜に接続した各端子を外方に延出し、上記内周壁が上方へ突出して筒形状となった上面視円環状の絶縁樹脂製のケースと、円筒状の操作部が上記ケースの内周壁に回転可能に嵌合し、上記操作部の下端に設けられたフランジ部の下面に抵抗器用摺動子とＬＥＤ用摺動子とを有した回転体と、上記ケースの内周壁と上記回転体の操作部を中央孔から上方へ突出させて、上記回転体のフランジ部を収容状態に上記上面開口部を覆って上記ケースに取り付けられたカバーとを備えており、上記回転体は３６０°回転可能になされ、上記絶縁基板には上記各皮膜の導出部上を覆うように絶縁層が設けられ、上記ＬＥＤ用摺動子は上記絶縁層の円周方向の幅より広い間隔になされた少なくとも２ヶ所の摺動接点を備えることを特徴とする照光式回転型可変抵抗器としたものである。
【００２３】
これにより、３６０°回転操作が可能で、ＬＥＤ用摺動子の摺動接点の一方が絶縁基板の絶縁層上を摺動しても間隔をあけた他方の摺動接点がＬＥＤ用導電皮膜上を摺動するため、３６０°回転全域でＬＥＤが安定して発光する照光式回転型可変抵抗器を提供することができるという作用を有する。
【００２４】
請求項２に記載の発明は、請求項１記載の発明において、回転体のフランジ部上面の全周に凹凸部を設けると共に、その凹凸部に弾接する摺動突起を備えたクリックバネをカバー下面に固定して回転体の回転によりクリックを発生させ、そのクリック間の角度が、絶縁基板に設けられた絶縁層の円周方向の幅より広い角度に設定されるものとし、かつ上記クリックの停止位置が、ＬＥＤ用摺動子の少なくとも２ヶ所の摺動接点が上記絶縁層を挟んでＬＥＤ用導電皮膜間を架橋状態にする接触位置であることを特徴とするものである。
【００２５】
これにより、クリックを備え、そのクリックの停止位置で摺動接点が絶縁層上に停止しないものにできるため、銀マイグレーションの発生もなく、３６０°回転全域で安定したＬＥＤの発光が得られるものにできるという作用を有する。
【発明の効果】
【００２６】
以上のように本発明によれば、３６０°回転操作が可能で、ＬＥＤが３６０°回転全域で発光する照光式回転型可変抵抗器を提供することができるという有利な効果が得られる。
【発明を実施するための最良の形態】
【００２７】
以下、本発明の実施の形態について、図１〜図７を用いて説明する。
【００２８】
なお、従来の技術の項で説明した構成と同一構成の部分には同一符号を付して、詳細な説明を簡略化する。
【００２９】
（実施の形態）
図１は本発明の一実施の形態による照光式回転型可変抵抗器の断面図、図２は同分解斜視図、図３は同ＬＥＤ用摺動子の外観図、図４は同絶縁基板と各摺動子の関係を説明する平面図であり、同図において、１は円形の中央孔１Ａを備えた円環状のケースで、内周壁１Ｃと外周壁１Ｄで囲まれた部分が開口した上面開口部１Ｂとなり、その内底面には円環状の絶縁基板２２が備えられている。そして、上記中央孔１Ａを構成する内周壁１Ｃは、上方へ突出した筒形状となっている。
【００３０】
２３は円筒状の操作部２３Ａとその下端にフランジ部２３Ｂが設けられた回転体で、上記操作部２３Ａは、その内周が上記ケース１の内周壁１Ｃの外周面に回転可能に嵌合し、上記上面開口部１Ｂ内に収容された上記フランジ部２３Ｂの下面には、抵抗器用摺動子４とＬＥＤ用摺動子２５が固定されている。そして、上記操作部２３Ａには、その上面からフランジ部２３Ｂ下面に至る貫通孔２３Ｅが設けられており、その下端に表面実装用のＬＥＤ８が貫通孔２３Ｅ上方を照光するように固定されている。なお、図２の分解斜視図において、回転体２３およびこの回転体２３に固定される抵抗器用摺動子４、ＬＥＤ用摺動子２５、ＬＥＤ８は図１に示す位置から上面視で約４５度左回転させた状態を示している。
【００３１】
９は中央に円形孔９Ａを備えた円環状に形成された金属板製のカバーで、上記円形孔９Ａからケース１の内周壁１Ｃと回転体２３の操作部２３Ａを上方に突出させて、ケース１の上面開口部１Ｂを覆ってケース１に取り付けられている。
【００３２】
１０は弾性金属板から細幅円弧状に形成され、その円弧の中央部に摺動突起１０Ａを備えたクリックバネで、上記カバー９の下面に両端がカシメ固定されている。
【００３３】
そして、絶縁基板２２の上面には、図４に示すように、内周側に抵抗器用皮膜として、最内周の抵抗器用導電皮膜３１とその隣に抵抗皮膜３２が並設され、外周側にＬＥＤ用導電皮膜として、アノード用導電皮膜３３と最外周のカソード用導電皮膜３４がスクリーン印刷などにより所定の間隔をあけて並設され、それらが同心円状に形成されており、それぞれの皮膜３１，３２，３３，３４の端部と繋がった各導出部３１Ａ，３２Ａ，３２Ｂ，３３Ａ，３４Ａが絶縁基板２２の外周に延設された接続用突部２２Ａ面に並んで銀ペーストにより導出形成され、各端子１５とそれぞれ繋がっている。
【００３４】
以上は、従来の技術によるものと同じであるが、当該構成のものは、図３に示すように、ＬＥＤ用摺動子２５のアノード用摺動子２６を、回転体２３のフランジ部２３Ｂにカシメ固定される平板状の固定部２６Ａから、ＬＥＤ８のアノード側の電極に弾接する２本１組の固定接点２６Ｂと絶縁基板２２のアノード用導電皮膜３３に弾接する２本を１組とした２組の摺動接点２６Ｃとを延設したものとしている。
【００３５】
そして、アノード用導電皮膜３３に弾接する２組の摺動接点２６Ｃは、１組ずつが固定部２６Ａからそれぞれ反対方向に延設されてアノード用導電皮膜３３に弾接し、一方の１組の接触位置と他方の１組の接触位置との間は所定の距離をあけて離間した位置になるものとしている。
【００３６】
また、ＬＥＤ用摺動子２５のカソード用摺動子２７も同様に、フランジ部２３Ｂにカシメ固定される平板状の固定部２７Ａから、ＬＥＤ８のカソード側の電極に弾接する２本１組の固定接点２７Ｂと絶縁基板２２のカソード用導電皮膜３４に弾接する２本を１組とした２組の摺動接点２６Ｃとを延設し、その２組の摺動接点２７Ｃは、１組ずつが固定部２７Ａからそれぞれ反対方向に延設されてカソード用導電皮膜３４に弾接し、一方の１組の接触位置と他方の１組の接触位置との間は所定の距離をあけて離間した位置になるものとしている。
【００３７】
そして、アノード用摺動子２６の摺動接点２６Ｃの接触位置とカソード用摺動子２７の摺動接点２７Ｃの接触位置とは、回転中心から等角となる位置でアノード用導電皮膜３３上およびカソード用導電皮膜３４上に接触するようにしている。
【００３８】
そして、図４に示したように、絶縁基板２２には、抵抗器用導電皮膜３１の端部、抵抗皮膜３２の各端部、アノード用導電皮膜３３の端部それぞれと繋がって接続用突部２２Ａに設けられた端子接続部までの導出部３１Ａ，３２Ａ，３２Ｂ，３３Ａ上を覆うようにして一つの絶縁層３６が設けられている。
【００３９】
ここに、当該構成のものでは、カソード用導電皮膜３４の端部から導出された導出部３４Ａ上を絶縁層３６で覆っていないものとしている。これは、導出部３４Ａが最外周でカソード用摺動子２７しかその上を摺動しないので不用意な短絡等が発生しないため絶縁層３６で覆う必要がないからである。なお、絶縁層３６で導出部３４Ａを含めて覆う構成としてもよい。また、各皮膜が上述したものとは異なる順序で配置されたものなどでは、カソード用導電皮膜の導出部も含んで全ての導出部を覆う絶縁層としたほうが簡便で好ましい。
【００４０】
そして、アノード用摺動子２６の２組の摺動接点２６Ｃおよびカソード用摺動子２７の２組の摺動接点２７Ｃは、アノード用導電皮膜３３およびカソード用導電皮膜３４それぞれの上面を各々所定の間隔をあけて弾接摺動し、アノード用摺動子２６の２組の摺動接点２６Ｃどうしの間隔、カソード用摺動子２７の２組の摺動接点２７Ｃどうしの間隔は、上記絶縁層３６の円周方向の幅よりそれぞれ広い間隔に設定されている。
【００４１】
なお、抵抗器用摺動子４は、ＬＥＤ用摺動子２５から所定角度ずれた位置で抵抗器用導電皮膜３１および抵抗皮膜３２上に弾接している。
【００４２】
そして、回転体２３のフランジ部２３Ｂ上面は係止用突部がなく、凹凸部２３Ｃが上面全周に設けられたものとされており、カバー９に固定されたクリックバネ１０の摺動突起１０Ａがこの凹凸部２３Ｃ上に弾接している。これによって、回転体２３は３６０°の全周で回転できるようになり、併せてフランジ部２３Ｂの凹凸部２３Ｃに対応した所定のクリックも３６０°全周で発生する。
【００４３】
また、そのクリックの位置は、ＬＥＤ用摺動子２５の各摺動接点２６Ｃ，２７Ｃが上記絶縁基板２２の接続用突部２２Ａ側に位置する際に、各導出部３１Ａ，３２Ａ，３２Ｂ，３３Ａを覆う絶縁層３６を挟むそれぞれの導電皮膜３３どうしの間、３４どうしの間を架橋状態とする位置で停止するように設定されている。また、そのクリック位置から回転されて停止する各クリック位置でも、各摺動接点２６Ｃ，２７Ｃが、絶縁層３６上で停止することがないように、クリック位置は絶縁層３６の円周方向の幅より広い角度に設定されている。
【００４４】
以上の構成において、回転体２３の操作部２３Ａを回転させると、フランジ部２３Ｂ上面の凹凸部２３Ｃ上にクリックバネ１０の摺動突起１０Ａが弾接してクリックを生じ、フランジ部２３Ｂ下面に固定された抵抗器用摺動子４が抵抗皮膜３２および抵抗器用導電皮膜３１上を摺動し、抵抗器用摺動子４の接触位置に応じた抵抗値が、抵抗器用導電皮膜３１、抵抗皮膜３２の導出部３１Ａ，３２Ａまたは３２Ｂに繋がった対応する各端子１５間から得られる。
【００４５】
また、ＬＥＤ８は、アノード用導電皮膜３３上およびカソード用導電皮膜３４上を摺動する各摺動接点２６Ｃ，２７ＣおよびＬＥＤ８の２つの電極に接触する固定接点２６Ｂ，２７Ｂによって通電されて発光し、回転体２３の操作部２３Ａに設けられた貫通孔２３Ｅを通じて外方を照光している。
【００４６】
なお、回転体２３には、係止用突部が設けられていないため、３６０°回転が可能であり、絶縁基板２２の各導出部３１Ａ，３２Ａ，３２Ｂ，３３Ａ，３４Ａが導出形成された部分に設けられた絶縁層３６上を抵抗器用摺動子４が弾接および摺動する間は、抵抗器用摺動子４は抵抗皮膜３２および抵抗器用導電皮膜３１との接触がなくなり、抵抗値は出力されない。
【００４７】
そして、ＬＥＤ用摺動子２５が絶縁基板２２の接続用突部２２Ａ側となるクリック位置にきた場合は、図５の各皮膜端部と繋がった導出部上にＬＥＤ用摺動子が位置した状態の要部拡大図、および図５の状態の要部断面図である図６に示すように、ＬＥＤ用摺動子２５の各摺動接点２６Ｃ，２７Ｃは、絶縁層３６を挟んで対応するＬＥＤ用導電皮膜３３，３４上に接触した状態で位置される。なお、図５において、絶縁層３６には斜線を付して判りやすく示している。
【００４８】
この回転位置（クリック位置）では、内周側に位置するアノード用摺動子２６の２本を１組とする２組の摺動接点２６Ｃは、アノード用導電皮膜３３の円周上で絶縁層３６を挟んでアノード用導電皮膜３３間を架橋状態として両側に１組ずつが接触しており、また外周側に位置するカソード用摺動子２７についても、２本を１組とする２組の摺動接点２７Ｃは、カソード用導電皮膜３４の円周上で絶縁層３６を挟んでカソード用導電皮膜３４間を架橋状態として両側に１組ずつが接触しており、その状態で維持される。
【００４９】
そして、クリック位置ではないが、図７に示すように、上記位置から上面視右回転に回転体２３を回転させてＬＥＤ用摺動子２５の１組の摺動接点２６Ｃ，２７Ｃが絶縁層３６上を弾接摺動する状態では、残りの１組の摺動接点２６Ｃ，２７Ｃは対応するアノード用導電皮膜３３およびカソード用導電皮膜３４上に位置しているため、ＬＥＤ８への通電は途切れることもなく、ＬＥＤ８は３６０°回転全周で安定して発光するものにできる。なお、ＬＥＤ用摺動子２５における各摺動接点２６Ｃ，２７Ｃは、いずれも絶縁層３６上での停止状態にはならない構成としたため、絶縁層３６を介して抵抗皮膜３２の＋極側の導出部３２Ｂからカソード用導電皮膜３４と繋がった摺動接点２７Ｃとの間、またはアノード用導電皮膜３３と繋がった摺動接点２６Ｃから抵抗皮膜３２の−極側の導出部３２Ａとの間での銀マイグレーションの発生も防止されたものにできる。
【００５０】
以上のように本実施の形態によれば、いずれのクリック位置でもＬＥＤ用摺動子２５の摺動接点２６Ｃ，２７Ｃが絶縁層３６上に停止状態にならず、絶縁層３６側に位置する際には摺動接点２６Ｃ，２７Ｃが絶縁層３６を跨ぐ架橋状態となる構成のものとしたため、銀マイグレーションの発生も抑えられ、さらには３６０°全周でＬＥＤ８が安定して発光するものに実現できる。
【００５１】
また、この照光式回転型可変抵抗器を搭載した電子機器においては、所定のクリック位置に対し、そのクリック位置に応じた抵抗値で作動するように各種機能を割り当てることにより、利便性の良い電子機器を得ることができる。
【００５２】
そして、回転体２３に係止用突起がなく３６０°回転操作が可能であり、アノード用およびカソード用それぞれの摺動接点２６Ｃ，２７Ｃの２組ずつが、絶縁層３６の円周方向の幅より広い間隔となるように円周方向に１組ずつ離れて設けられ、アノード用摺動子２６とカソード用摺動子２７の摺動接点２６Ｃと２７Ｃが、それぞれ２本１組でかつその２組ずつが接触する構成としているため、ＬＥＤ８の発光も安定したものとなる。
【００５３】
また、回転体２３が３６０°回転するなかで、摺動接点２６Ｃ，２７Ｃの一方の１組が絶縁層３６上を摺動していても、他方の１組の摺動接点２６Ｃ，２７Ｃがそれぞれ対応する導電皮膜３３，３４上に位置するため、ＬＥＤ用導電皮膜３３，３４からのＬＥＤ８への通電は途切れることもなく、ＬＥＤ８の発光は全周に亘って維持されて３６０°回転全域で常にＬＥＤ８が安定して発光し、その光が操作部２３Ａの貫通孔２３Ｅを通じて外方に常時導かれて照光される上、当該構成のものは、ＬＥＤ用摺動子２５の摺動接点２６Ｃ，２７Ｃが絶縁層３６上に停止状態にならないものであるため、銀マイグレーションの発生をも抑えられた照光式回転型可変抵抗器を提供することができる。
【産業上の利用可能性】
【００５４】
本発明による照光式回転型可変抵抗器は、３６０°回転操作が可能で、ＬＥＤが３６０°回転全域で発光するものにできるという有利な効果を有し、車載用エアコンの温度、風向制御やＡＶ機器の音量、音質制御用等に有用である。
【図面の簡単な説明】
【００５５】
【図１】本発明の一実施の形態による照光式回転型可変抵抗器の断面図
【図２】同分解斜視図
【図３】同ＬＥＤ用摺動子の外観図
【図４】同絶縁基板と各摺動子の関係を説明する平面図
【図５】同導出部上にＬＥＤ用摺動子が位置した状態の要部平面図
【図６】図５の要部断面図
【図７】図５から回転体を少し回転させた状態の要部平面図
【図８】従来の照光式回転型可変抵抗器の断面図
【図９】同分解斜視図
【図１０】同絶縁基板と各摺動子の関係を説明する平面図
【図１１】同ＬＥＤ用摺動子の外観図
【図１２】同導出部上にＬＥＤ用摺動子が位置した状態の要部拡大図
【符号の説明】
【００５６】
１  ケース
１Ａ  中央孔
１Ｂ  上面開口部
１Ｃ  内周壁
１Ｄ  外周壁
４  抵抗器用摺動子
８  ＬＥＤ
９  カバー
９Ａ  円形孔
１０  クリックバネ
１０Ａ  摺動突起
１５  端子
２２  絶縁基板
２２Ａ  接続用突部
２３  回転体
２３Ａ  操作部
２３Ｂ  フランジ部
２３Ｃ  凹凸部
２３Ｅ  貫通孔
２５  ＬＥＤ用摺動子
２６  アノード用摺動子
２６Ａ，２７Ａ  固定部
２６Ｂ，２７Ｂ  固定接点
２６Ｃ，２７Ｃ  摺動接点
２７  カソード用摺動子
３１  抵抗器用導電皮膜
３１Ａ，３２Ａ，３２Ｂ，３３Ａ，３４Ａ  導出部
３２  抵抗皮膜
３３  アノード用導電皮膜
３４  カソード用導電皮膜
３６  絶縁層
【図１】
2009277973.tif 000003
【図２】
2009277973.tif 000004
【図３】
2009277973.tif 000005
【図４】
2009277973.tif 000006
【図５】
2009277973.tif 000007
【図６】
2009277973.tif 000008
【図７】
2009277973.tif 000009
【図８】
2009277973.tif 000010
【図９】
2009277973.tif 000011
【図１０】
2009277973.tif 000012
【図１１】
2009277973.tif 000013
【図１２】
2009277973.tif 000014